(57)【特許請求の範囲】
【請求項１】
時刻または時刻派生情報を表示するための装置（１００；２００）であって、
第１歯列（３１）と、時刻または時刻派生情報の一の位を表示することを意図する数字（３３）を含有する第１ディスク（３２）とを含む、第１モバイル（３）と、
第２歯列（４１）と、時刻または時刻派生情報の十の位を表示することを意図する数字（４３）を含有する第２ディスク（４２）とを含む、第２モバイル（４）と、
前記第１及び第２モバイルを駆動するための機構（９０）を備える表示装置であり、
前記機構は、
前記第１歯列と障害物により協働するよう配置された第３歯列（１ａ）と、
前記第２歯列と障害物により協働するよう配置された第４歯列（１ｂ）と、
を含む制御モバイル（１）と、
前記第３歯列及び第４歯列と障害物により協働するよう設計された第５歯列（２ｃ）を含む回し車（２）であって、前記第５歯列の要素（９９）が、第３および第４歯列と協働するよう配置される、回し車（２）と、
を備え、
前記第１、第２、第３、第４、および第５歯列は、２つの高さのみに配置される、時刻または時刻派生情報を表示するための装置。
【請求項２】
前記第３及び第４歯列は、平行で別個な、または２つの高さにある、第１平面（Ｐ３）及び第２平面（Ｐ４）に配置され、前記第１歯列（３１）は前記第２平面（Ｐ４）ではなく前記第１平面（Ｐ３）と交差し、または第１高さのみに延長し、前記第２歯列（４１）は前記第１平面ではなく前記第２平面（Ｐ４）と交差し、または第２高さのみに延長し、または
前記第３及び第４歯列は、平行で互いに別個な、または２つの高さにある、第１平面（Ｐ３）及び第２平面（Ｐ４）に配置され、前記第１歯列（３１）は前記第１平面及び第２平面と交差し、または両高さにわたり延長し、前記第２歯列（４１）は前記第１平面（Ｐ３）ではなく前記第２平面（Ｐ４）と交差し、または第２高さのみに延長する、
請求項１に記載の表示装置。
【請求項３】
前記第３及び第４歯列は、平行で別個な、または２つの高さにある、第１平面（Ｐ３）及び第２平面（Ｐ４）に配置され、前記回し車（２）の前記第５歯列（２ｃ）は、前記第１平面（Ｐ３）及び前記第２平面（Ｐ４）と交差し、または前記回し車（２）の前記第５歯列（２ｃ）は前記２つの高さと交差する、請求項１または２のいずれか一項に記載の表示装置。
【請求項４】
前記要素（９９）は、第一平面（Ｐ３）が具体化する第１高さに沿って延長し、前記要素（９９）はまた、第２平面（Ｐ４）が具現化する第２高さに沿って延長する、請求項１から３のいずれか一項に記載の表示装置。
【請求項５】
前記第３及び第４歯列は互いに補間し、共同して
３１本または３０本の歯を有する、第６歯列（１ｃ）、及びまたは
３１分の１回転の角ピッチを有する、歯列
を形成する、請求項１から４のいずれか一項に記載の表示装置。
【請求項６】
前記制御モバイルは、２４時間ごとに３１分の１回転を行うよう配置される、請求項１から５のいずれか一項に記載の表示装置。
【請求項７】
前記制御モバイルは、１つの部品、または一体に製造され、または第３及び第４歯列をそれぞれ有する２つの要素の組み立て形成される、請求項１から６のいずれか一項に記載の表示装置。
【請求項８】
前記第３及び第４歯列は外歯列であり、及びまたは第５歯列は外歯列である、請求項１から７のいずれか一項に記載の表示装置。
【請求項９】
前記第１及び第２ディスクは、同一平面（Ｐ１）上に配置され、及びまたはそれぞれ同数の数字、及びまたは同一の直径または実質的に同一の直径を有する、請求項１から８のいずれか一項に記載の表示装置。
【請求項１０】
前記第３歯列は３０本の歯を有し、歯間の角ピッチは３６０°／３１であり、及びまたは前記第４歯列は４本または５本の歯を有し、２本の歯間の角ピッチは３６０°／３１の倍数である、請求項１から９のいずれか一項に記載の表示装置。
【請求項１１】
前記制御モバイルの回転の軸（Ａ１）に原点を有し前記第１モバイルの回転の軸（Ａ３）を通過する半直線と、前記制御モバイルの回転の軸（Ａ１）に原点を有し前記第２モバイルの回転の軸（Ａ４）を通過する半直線とが形成する角度（α）は、１７０°以下であり、または１６０°以下である、請求項１から１０のいずれか一項に記載の表示装置。
【請求項１２】
前記回し車（２）は、スターホイール（１２）及びまたは前記回し車は、時計ムーブメントの中央に位置する、請求項１から１１のいずれか一項に記載の表示装置。
【請求項１３】
前記第２ディスクは、
「０、１、２、３、０、１、２、３」、
「０、０、１、２、３、０、０、１、２、３」、
「０、１、１、２、３、０、１、１、２、３」、
「０、１、２、２、３、０、１、２、２、３」、
「０、１、２、３、３、０、１、２、３、３」、
のいずれか１つの数列を含む、請求項１から１２のいずれか一項に記載の表示装置。
【請求項１４】
前記第１モバイルと関連付けられた第１ジャンパ（５）を有し、前記第１ジャンパと前記第１モバイルとは、前記第１モバイルが前記第１ディスクに表示される数字の表示を増加する方向に角ピッチの半分を移動する前に、前記第１モバイルを次の位置に位置させるように配置され、及びまたは前記第２モバイルと関連付けられた第２ジャンパ（６）を有し、前記第２ジャンパと前記第２モバイルは、前記第２モバイルが前記第２ディスクに表示される数字の表示を増加する方向に角ピッチの半分を移動する前に、前記第２モバイルを次の位置に位置させるように配置され、及びまたは前記第１モバイルと関連付けられた第１ジャンパ（５）を有し、前記第１ジャンパと前記第１モバイルは、前記制御モバイルが角ピッチの半分を移動した後に、前記制御モバイルを次の位置に位置させるように配置され、及びまたは前記第２モバイルと関連付けられた第２ジャンパ（６）を有し、前記第２ジャンパと前記第２モバイルは、前記制御モバイルが角ピッチの半分を移動した後に、前記制御モバイルを次の位置に位置させるように配置される、請求項１から１３のいずれか一項に記載の表示装置。
【請求項１５】
時刻または時刻派生情報を表示するための装置は、日付を表示するための装置であり、前記第１ディスクは一の位ディスクであり前記第２ディスクは十の位ディスクである、請求項１から１４のいずれか一項に記載の表示装置。
【請求項１６】
請求項１から１５のいずれか一項に記載の装置（１００；２００）を含む、時計ムーブメント（１１０；２１０）。
【請求項１７】
請求項１から１５のいずれか一項に記載の装置（１００；２００）を含む、及びまたは請求項１６に記載の時計ムーブメント（１１０；２１０）を含む、時計（１２０；２２０）。
【発明の詳細な説明】
【技術分野】
【０００１】
本発明は、時刻または時刻派生情報を表示するための装置、特に日付を表示するための装置に関する。本発明はまた、当該装置を含む時計ムーブメントに関する。本発明は最終的に、当該装置または当該ムーブメントを含む、時計、特に腕時計に関する。本発明は、特に、日付の一の位を表示する第１のディスクと、日付の十の位を表示する第２のディスクとを利用する日付表示を行うことを意味する、「ラージデイト」型の表示装置または機構に関連する。
【背景技術】
【０００２】
３段階の高さにわたる日付表示制御モバイルを開示する実施形態または文献は多数存在する。従来、第１高さは、日付表示装置駆動モバイルまたは月の日付駆動モバイルにより作動可能な第１インターフェース車で形成され、第１インターフェース車は日付の変更毎に１角ピッチ回転する。制御モバイルの第２及び第３の高さに対応する第２及び第３車は、それぞれ、一の位ディスク及び十の位ディスクと、それぞれが必要なモーメントで回転できるように、噛合する。別の例では、第２及び第３の高さ用の第２及び第３車は駆動モバイルにより直接作動されるが、それでは構造がより複雑化してしまう。
【０００３】
特許文献１は、３つの別個の高さに重ねられた、３つの車が設けられた制御モバイルを開示する。３１本の歯で形成される第１車は、制御モバイルが１日毎に１角ピッチで回転できるよう、日付駆動モバイルにより駆動されるためのものである。４本の歯で構成される第２車は、十の位ディスクと一体として移動する第１ピニオンを駆動するためのものである。３０本の歯で構成される第３車は、一の位ディスクと一体として移動する第２ピニオンを駆動するためのものである。これら車の歯列の形状については、何の開示もなされていない。このようなラージデイト機構は、表示ディスクを適切に駆動するため、精密に組み立てて精密に駆動されなければならない多くの部品を必要とする。更に、当該制御モバイルは、３つの高さを有するため、特にかさ高であり、このため時計ムーブメントへの組み入れが難しい。
【０００４】
特許文献２は、上述の文献のモバイルに似た、制御モバイルを開示する。差異の１つは、当該制御モバイルが駆動される特別な方法に関し、当該特別な方法とは、制御モバイルの第１高さの３１本の歯を有する第１車を駆動するための、環状歯列から形成される丸穴車を経由するものである。当該丸穴車は、従来の日付ディスクに代わるものであり、特に複雑な形状を有している。
【０００５】
特許文献３は、ラージデイト機構であって、その制御モバイルが従来のカレンダー駆動モバイルにより駆動可能なように、ムーブメントの中央に位置する、ラージデイト機構を開示する。当該制御モバイルも、それぞれ３つの高さに重ね合される３つの車が設けられ、３つの車のうち１つのみが、カレンダー駆動モバイルと協働するものである。当該車は同様に、３１本の歯が設けられる。
【０００６】
特許文献４は、制御モバイルであって、その車が、十の位ディスクと一の位ディスクの角度位置を固定するように構成された、制御モバイルを開示する。当該制御モバイルも同様に３つの別個の高さから構成され、そのためラージデイト機構を単純化するための工夫は何もない。
【０００７】
特許文献５は、２つの別個の高さに重ね合される２つの車が設けられる、制御モバイルを開示する。第１高さの第１車は、一の位ディスクと噛合し、カレンダー駆動竜頭の３０本のピンにより駆動されるものである。第２高さの第２車は、十の位ディスクと噛合し、カレンダー駆動竜頭の４本のピンにより作動されるものである。当該解決策は、制御モバイルの操作を単純にするものの、追加ピンの追加により、カレンダー駆動モバイルの作成を複雑にしてしまう。更に、これらピンは、ラージデイト機構の厚みを増加させてしまう。
【０００８】
特許文献６もまた、２つの高さにわたり段階付けされる、単純化された制御モバイルを開示する。しかしながら、当該構成は、複雑な駆動丸穴車を必要するのと同時に、補助制御ピニオンも必要とする。
【０００９】
このため、既知の表示装置は、かさ高であり、及びまたは製造及び実施が複雑である。
【先行技術文献】
【特許文献】
【００１０】
【特許文献１】スイス特許出願公開第３１０５５９号公報
【特許文献２】欧州特許出願公開第１４２６８３６号公報
【特許文献３】米国特許第７１０２９６２号公報
【特許文献４】欧州特許出願公開第１８０１６６７号公報
【特許文献５】欧州特許出願公開第２１６１６３１号公報
【特許文献６】欧州特許出願公開第１５０９８１９号公報
【発明の概要】
【発明が解決しようとする課題】
【００１１】
本発明の目的は、上述の欠点を克服し、従来技術から知られている表示装置の改善を可能とする、時刻または時刻派生情報を表示するための装置、特に日付を表示するための装置を提供することである。特に、本発明は、単純であり、信頼性があり、かさ高、特に厚み、が制限された、時刻または時刻派生情報を表示するための装置を提案する。
【課題を解決するための手段】
【００１２】
本発明に係る表示装置は、請求項１に定義される。
【００１３】
表示装置の様々な実施形態は、請求項２から１５に定義される。
【００１４】
本発明に係るムーブメントは、請求項１６に定義される。
【００１５】
本発明に係る時計は、請求項１７に定義される。
【００１６】
図面は、本発明に係る表示装置の２つの実施形態を例示する。
【図面の簡単な説明】
【００１７】
【図１】図１は、本発明に係る表示装置の第１実施態様を図示する。
【図２】図２は、本発明に係る表示装置の第１実施態様を図示する。
【図３】図３は、本発明に係る表示装置の第１実施態様を図示する。
【図４】図４は、本発明に係る表示装置の第１実施態様を図示する。
【図５】図５は、本発明に係る表示装置の第１実施態様を図示する。
【図６】図６は、本発明に係る表示装置の第１実施態様を図示する。
【図７】図７は、本発明に係る表示装置の第１実施態様を図示する。
【図８】図８は、本発明に係る表示装置の第１実施態様を図示する。
【図９】図９は、本発明に係る表示装置の第２実施態様を図示する。
【図１０】図１０は、本発明に係る表示装置の第２実施態様を図示する。
【図１１】図１１は、本発明に係る表示装置の第２実施態様を図示する。
【図１２】図１２は、本発明に係る表示装置の第２実施態様を図示する。
【図１３】図１３は、本発明に係る表示装置の第２実施態様を図示する。
【図１４】図１４は、本発明に係る表示装置の第２実施態様を図示する。
【図１５】図１５は、本発明に係る表示装置の第２実施態様を図示する。
【発明を実施するための形態】
【００１８】
好ましくは、本発明は時刻または時刻派生情報を表示するための装置に関し、特に「ラージデイト」型の情報を表示するための装置であって、当該装置において情報は、情報の十の位と一の位をそれぞれ表示することを意図する第１および第２ディスクにより表示される、装置に関する。本発明は、十の位と一の位のディスクを制御するための単純な制御モバイルの使用を提案する。制御モバイルは、装置の構築を合理化するような方法で、配置され構成される。これにより、表示装置を組み込む時計ムーブメントの構築も単純化し合理化することが可能となる。当該制御モバイルは、当該装置の作成に必要な厚みを最小化するという利点も有する。
【００１９】
本発明に係る時計１２０の第１実施形態を、図１から８を参照して以下に説明する。時計は、例えば、小型時計、特に腕時計である。時計は、本発明に係る時計ムーブメント１１０の第１実施形態を含む。時計ムーブメントは、本発明に係る時刻または時刻派生情報を表示するための装置１００、特に日付情報を表示するための装置１００の第１実施形態を含む。表示装置は、ラージデイト型である。
【００２０】
日付表示装置１００は、以下を含む。
−第１歯列３１と、日付の一の位を表示する数字３３を有する一の位ディスク３２とを含む、第１モバイル３、
−第２歯列４１と、日付の十の位を表示する数字４３を有する第２の十の位ディスク４２とを含む、第２モバイル４、および
−前記第１及び第２モバイルを駆動するための、機構９０。
【００２１】
駆動機構は、以下を含む。
第１歯列３１と障害物により、特に噛合により協働するよう配置された、第３歯列１ａと、
第２歯列４１と障害物により、特に噛合により協働するよう配置された、第４歯列１ｂとを
含む、制御モバイル１、および
第３および第４歯列と障害物により、特に噛合により協働するよう設計された、第５歯列２ｃを含む回し車であって、第５歯列の同一の要素９９、特にその同一表面９９であり、とりわけ回し車の回転の軸Ａ２に平行または実質的に平行に延長する同一平面が、第３および第４歯列と、特に噛合により協働するよう配置される、回し車２。
【００２２】
第５歯列は、単一の歯を有することもできる。
【００２３】
好ましくは、第３及び第４歯列は、２つの平行かつ別個の平面Ｐ３及びＰ４に、または換言すれば、２つの高さに配置される。２つの平面Ｐ３及びＰ４または２つの高さは、制御モバイルの回転の軸Ａ１に垂直に延長する。このため、第３歯列１ａは、第１高さまたは第１平面Ｐ３の高さに形成される。第３歯列１ａは、第１モバイル３の車の第１歯列３１を駆動するためのものである。第１歯列３１は、一の位ディスク３２と一体として移動する。例えば、第１歯列３１は、一の位ディスク３２に固定される。第４歯列１ｂは、第２高さまたは第２平面Ｐ４の高さに形成される。第４歯列１ｂは、第２モバイル４の車の第２歯列４１を駆動するためのものである。第２歯列４１は、十の位ディスク４２と一体として移動する。例えば、第２歯列４１は十の位ディスク４２に固定される。好ましくは、第１歯列３１は第１平面Ｐ３の高さに位置し、第２歯列４１は第２平面Ｐ４の高さに位置する。換言すれば、好ましくは、第１歯列３１は第２平面Ｐ４ではなく第１平面Ｐ３と交差し、第２歯列４１は第１平面Ｐ３ではなく第２平面Ｐ４と交差する。
【００２４】
要素９９は、有利には歯、または歯の形状を形成する部分などの歯表面の一部である。当該要素９９は、特にこの歯の表面は、第３歯列及び第４歯列と協働するため、軸Ａ２に沿って延長する。このため、要素９９は、例えば第３歯列の中央平面である、平面Ｐ３が具体化する第１高さに沿って延長する。要素９９はまた、例えば第４歯列の中央平面である、平面Ｐ４が具現化する第２高さに沿って延長する。
【００２５】
第３及び第４歯列は、平行且つ別個の、または２つの高さの、第１平面Ｐ３及び第２平面Ｐ４に、特に制御モバイルの回転の軸Ａ１に直角に延長する２つの平面Ｐ３、Ｐ４、または２つの高さに、配置してもよい。これは、回し車２の歯列２ｃが、第１モバイル３の第１歯列３１及び第２モバイル４の第２歯列４１と噛合するよう、第１平面Ｐ３及び第２平面Ｐ４と交差しても良いという意味である。このように、歯列２ｃは、第１モバイル３の第１歯列３１及び第２モバイル４の第２歯列４１と噛合するよう、平面Ｐ３及び平面Ｐ４の２つの高さと交差してもよい。このように、回し車の歯列２ｃは、２つの高さに、とりわけ２つの高さのみに配置されてもよい。第１モバイル、第２モバイル、制御モバイル、及び回し車の歯列は、２つの高さのみに配置されてもよい。
【００２６】
有利には、第４歯列の歯は、特に第４歯列の歯の作用面は、制御モバイル１の回転の軸Ａ１に沿って、第３歯列の歯から延長して存在し、特に軸Ａ１に沿って、第３歯列の歯の作用面から延長して存在する。この作用面は、噛合時に接触する表面である。
【００２７】
第３及び第４歯列は好ましくは互いを補足し、共同して以下を形成する。
−３１または３０本の歯を有する、第６歯列１ｃ、及びまたは
−回転の１／３１の角ピッチを有する歯列。
【００２８】
このように、制御モバイル１は、第３歯列１ａ及び第４歯列１ｂであって、その組み合わせ、特に重ね合わせは、結果として得られる歯列１ｃを形成可能とする第３歯列１ａ及び第４歯列１ｂを含んでもよい。この重ね合わせは、好ましくは軸Ａ１に沿って行われる。この結果として得られる第６歯列は、制御モバイルが２４時間ごとに少なくとも１／３１回転ずつ動くように、または２４時間で角度で計測して３６０／３１の角度を移動するように、作動されてもよい。この目的において、歯列１ａ及び１ｂの形状は、好ましくは同一または実質的に同一である。
【００２９】
このように、制御モバイルは、２４時間毎に３１分の１回転を実行するように配置することができる。
【００３０】
制御モバイルは、好ましくは、１つの部品、または一体に製造され、または第３及び第４歯列をそれぞれ有する２つの要素の組み立て、特に重ね合わせで形成される。例えば、制御モバイルは、少なくとも２つの車の組み立て、特に２つの車を固定することで、製造することができる。
【００３１】
好ましくは、第３及び第４歯列は外歯列である。第５歯列も、外歯列であってもよい。
【００３２】
好ましくは、第１及び第２ディスク３２、４２は、同一平面Ｐ１に配置され、及びまたは両者は同一の数の数字３３、４３、特に１０個の数字を有し、及びまたは両者は同一の直径または実質的に同一の直径を有する。
【００３３】
第１実施形態において、十の位及び一の位のディスクはそれぞれ１０個の数字を含有する。例えば、十の位のディスクは、「０−１−１−２−３」の数字の列を２組含有し、一の位のディスクは、「０−１−２−３−４−５−６−７−８−９」の数字の列を示す。このように、歯列３１、４１は、同数の歯、すなわち１０本の歯を有する。上述の通り、歯列の形状は、同一または実質的に同一であって良い。
【００３４】
第１実施形態において、制御モバイル１の第３歯列１ａの歯の数は、結果として得られる第６歯列１ｃの歯の数と異なる。
【００３５】
図４に示すように、第３歯列１ａはここでは、それぞれが月に１度、第１歯列３１を含有する第１車を１０分の１回転だけ駆動することを意図する、３０本の歯１０ａを含む。この第１車は、その位置を割り出すために第１ジャンパ５と協働する。第４歯列１ｂはここでは、それぞれが月に１度、第２歯列４１を含有する第２車を回転の１０分の１だけ駆動することを意図する、５本の歯１０ｂを含む。この第２車は、その位置を割り出すために第２ジャンパ６と協働する。
【００３６】
３０本の歯１０ａ及び５本の歯１０ｂは、結果として得られる歯列１ｃ上に３１本の歯１０ｃを形成するように配置される。そのために、歯列１ａ及び１ｂは、両者とも３６０°／３１の角ピッチを有し、１本の歯１０ｂは、第３歯列１ａの隙間９８に重ね合わされる。当該隙間９８は歯の欠如により得られ、それにより一の位ディスクをある月の３１日目から翌月の１日目に移動させないようにすることを可能とする。これにより、隙間９８に第３歯列が存在していた場合のように表示「３１」を表示「０２」に移行させるのではなく、表示「３１」を表示「０１」に移行させることができる。
【００３７】
有利には、隙間９８に重ね合される歯１０ｂは、例えば図５に、各歯１０ｂについてその歯が十の位ディスクに作用する一月の中の日付をイタリックで示すように、月の２０日目に移行する場合に、月の１０日目と２０日目の間に含まれる一月の中の日付に十の位ディスクを駆動するためのものである。
【００３８】
第３歯列は３０本の歯を含み、歯間の角ピッチは３６０°／３１、すなわち１／３１回転である。
【００３９】
第４歯列は、５本の歯または４本の歯を含んでよく、２本の歯の間の角ピッチは、３６０°／３１の倍数または１／３１回転の倍数である。
【００４０】
本発明に係る時計２２０の第２実施形態を、図９から１５を参照して以下に説明する。時計は、例えば、小型時計、特に腕時計である。時計は、本発明に係る時計ムーブメント２１０の第２実施形態を含む。時計ムーブメントは、本発明に係る表示装置２００、特に日付を表示する表示装置２００の第２実施形態を含む。表示装置はラージデイト型である。
【００４１】
第２実施形態において、第一実施形態に係る表示装置の要素と同一の構造及びまたは同一の機能を有する表示装置の要素は、第一実施態様において付されたのと同一の参照番号を付す。
【００４２】
第２実施形態は、制御モバイル１の第３歯列１ａの歯の数が、図１２から１４で示す、結果として得られる第６歯列１ｃの歯の数と同一である点で、第１実施形態と異なる。
【００４３】
第１実施形態同様、第３歯列１ａは、３０本の歯１０ａを含んでもよい。この歯はそれぞれ、月に１度、ジャンパ５との協働により、第１歯列３１を含有する第１車を１０分の１回転だけ駆動するものである。当該歯列は、隙間９８が一の位ディスクをある月の３１日目から翌月の１日目に移動させないようにできるように、３６０°／３１の角ピッチを有する。第４歯列１ｂもまた、３６０°／３１の角ピッチを有する。当該第４歯列もまた、５本の歯１０ｂを含んでもよい。この歯１０ｂはそれぞれ、月に１度、ジャンパ６との協働により、第２歯列４１を含有する第２車を１０分の１回転だけ駆動するよう設計される。第３及び第４歯列１ａ及び１ｂの重ね合わせの結果として得られる第６歯列１ｃは、３０本の歯１０ｃを含む。換言すれば、歯１０ｂは、そのいずれもが、歯の欠如により得られる隙間に重ね合されないような方法で、配置される。このように、歯列１ｃは、歯列１ａと同一の全体形状を有する。制御モバイル１を適切に駆動するために、ジャンパ５及びまたはジャンパ６は、第１及び第２モバイルを角度的に再配置する。そのために、ジャンパ５及びまたはジャンパ６は、例えば、第１モバイルまたは第２モバイルが歯のピッチの１／２回転する前に第１モバイル及びまたは第２モバイルを駆動する、または第１モバイルまたは第２モバイルが歯のピッチの１／３回転する前に第１モバイル及びまたは第２モバイルを駆動する。更に、有利には、ジャンパ５及びまたはジャンパ６は、回し車２の効果のもと、制御モバイルが角ピッチの１／２分の大きさの角度を移動した後、または制御モバイルが角ピッチの３／４分の大きさの角度を移動した後、制御モバイルを角度的に再配置する。これは例えば、ジャンパのくちばしの特殊な成形、特にジャンパのくちばしの特殊な形状により達成される。ジャンパのくちばしの形状は、ジャンパのくちばしの先端が、第１モバイルまたは第２モバイルが１／２歯ピッチ回転する前に、または第１モバイルまたは第２モバイルが１／３歯ピッチ回転する前に、歯列の歯の先端を横断するように、非対称であることができる。制御モバイルの再配置は、歯列１ｃと３１及び１ｃと４１間に、特に歯列１ａと３１及び１ｂと４１間に、適切な間隙を利用することにより、得られる。
【００４４】
当該第２実施形態は、第１モバイルの第１車の第１歯列３１を、制御モバイル１の全高にわたり、特に制御モバイル１の第６歯列１ｃの全高にわたり、配置可能にするという利点を有する。このように、この設計は、第１実施形態では必要であった軸方向の安全空間の必要性をなくすことができる。第１実施形態においての安全空間は、一の位ディスクを有する第１モバイル３の駆動に充てられる歯列１ａの第１高さと、十の位ディスクを有する第２モバイル４の駆動に充てられる歯列１ｂの第２高さとの間を区別するために、設けられる。このように、第１歯列３１は、第１及び第２平面Ｐ３及びＰ４の高さに位置可能であり、第２歯列４１は第２平面Ｐ４の高さに位置可能である。換言すれば、第１歯列３１は第１及び第２平面Ｐ３、Ｐ４と交差してもよく、第２歯列４１は第１平面Ｐ３ではなく第２平面Ｐ４と交差してもよい。制御モバイル１の高さはこれにより最小限にできる。この結果、ラージデイト表示装置の高さも減少可能である。
【００４５】
全ての実施形態において、回し車は、スターホイール１２と固定されてもよい。当該スターホイールは、ムーブメントの中央に位置させてもよい。当該スターホイールは、図７及び１５に示すように、カレンダー駆動爪３により１日１回作動されることが意図される。当該爪は、有利には、瞬時ジャンプ可能なカレンダー駆動装置１４に組み込むことができる。装置の表示自体は、補助機構１６により作動可能な、修正スターホイール１５により設定可能である。
【００４６】
全ての実施形態において、好ましくは、表示装置は第１モバイルと関連する第１ジャンパ５を含み、第１ジャンパ及び第１モバイルは、第１ディスクに記載される数字の表示を増加させる方向に第１モバイルが１／２角ピッチ移動する前に、第１モバイルを次の位置に位置させるように、配置される。代替としてまたは前記に加えて、表示装置は、第２モバイルと関連する第２ジャンパ６を含むことができ、第２ジャンパ及び第２モバイルは、第２ディスクに記載される数字の表示を増加させる方向に第２モバイルが１／２角ピッチ移動する前に、第２モバイルを次の位置に位置させるように、配置される。
【００４７】
全ての実施形態において、好ましくは、表示装置は、回し車２の影響のもと、制御モバイルが１／２角ピッチの大きさの角度を移動した後、制御モバイルを角度的に再配置するための、ジャンパ５及びまたはジャンパ６を含むことができる。
【００４８】
全ての実施形態において、第１、第２、第３、第４、第５、及び第６歯列のモジュールは同一または実質的に同一であり、０．２から０．３程度である。実施形態の変形例において、第３、第４、及び第６歯列のモジュールは、図８に示すように、歯のクリアランスを最小限にするため、第１、第２歯列３１、４１のモジュールよりも低く、約２倍である。当該特定の状況において、第３歯列１ａは、６０本の連続した歯を含み、第４歯列１ｂは２本の連続する歯を５セット含み、これにより６２本または６０本の歯を有する第６歯列１ｃを形成する。第１及び第２モバイルの歯は、ジャンパ５、６の協働により、制御モバイルの２本の連続する歯によりそれぞれ駆動される。
【００４９】
全ての実施形態において、制御モバイルの回転の軸Ａ１に原点を有し第１モバイルの回転の軸Ａ３を通過する半直線と、制御モバイルの回転の軸Ａ１に原点を有し第２モバイルの回転の軸Ａ４を通過する半直線とが形成する角度αは、有利には１７０°以下、または１６０°以下である。この配置により、十の位ディスクと一の位ディスクが、同一の平面上で近接して共生可能として、また同時に従来の日付ディスクにより従来表示されていたフォントよりも著しく大きなフォントサイズで文字を表示可能とする。このような構成は、十の位ディスクにおいて１つの数字または桁、例えば数字または桁の「１」が重複しているため、可能となる。
【００５０】
全ての実施形態において、図１４に示すように、制御モバイル１の回転の軸Ａ１に原点を有し歯の欠如により形成される隙間９８を通過する半直線と、制御モバイル１の回転軸に原点を有し十の位のディスクを月の２９日目から月の３０日目に駆動可能とする歯の対称軸を通過する半直線とが形成する角度βは、角度αと同一または実質的に同一であり得る。
【００５１】
全ての実施形態において、特に図示した全ての実施形態において、数字または桁の「１」は、十の位ディスク上で重複されているのが好ましい。代替として、第４歯列１ｂの歯の分布を変更することにより、桁の「０」、「２」、または「３」を重複することもできる。
【００５２】
十の位ディスク上で、桁の「０」を表示しないことも可能である。この場合、桁を表示しないディスク部分があってもよい。
【００５３】
本発明に係る時刻情報を表示するための装置、特に一月の中の日付を表示するための装置は、同一平面上に配置され実質的に同一の直径を有する２つのディスクの使用を可能とする。２つのディスクは、好ましくは、同一の歯列形状と同一の歯の数、すなわち１０本の歯を有する車であって、同一の形状を有する第３歯列及び第４歯列を含む制御モバイルにより作動される車と固定され、第３歯列と第４歯列の重なり合わせにより結果として得られる第６歯列の形成を可能とし、第６歯列は制御モバイルが２４時間ごとに少なくとも１／３１回転を行うように作動される。
【００５４】
このような配置により、制御モバイルを作成する部品の数を最小限にすることができる。
【００５５】
当該解決策は、制御モバイルの高さを最小限にすることも可能にする。制御モバイルの高さは、第３歯列と第４歯列の高さにそれぞれ対応する、少なくとも２つの高さから形成される。このように、３つの高さから形成される従来技術の制御モバイルとは異なる。このような構成により、例えば、制御モバイルに、２つの表示ディスクの少なくとも１つを係止する機能など、補助機能を追加することが可能となる。
【００５６】
制御モバイルは、制御モバイルの結果として得られる形状と同一または実質的に同一の歯列形状を有する回し車と、直接係合しても良い。
【００５７】
時刻情報を表示するための装置、特に一月の中の日付を表示するための装置は、例えば曜日を表示するための表示装置といった他の表示装置で通常用いられる修正手段を用いて、設定することもできる。
【００５８】
時刻情報を表示するための装置、特に一月の中の日付を表示するための装置は、ベースムーブメントに装着させるためのモジュールに組み込むことができる。これは、例えば曜日を表示するためのモジュールの代わりとすることができる。
【００５９】
各種実施形態と互換性のある代替形態として、第２歯列は、第１歯列と異なる歯の数であってもよい。例えば、第２歯列は、８本の歯を有し、第２ディスクは８桁（「０−１−２−３」の数列を２組）表示してもよい。このような状況において、制御モバイルの第４歯列１ｂは、４本の歯を含む。この４本の歯はそれぞれ、月に１度、ジャンパ６と協働することにより、第２モバイル４１を１／８回転駆動するためのものである。
【００６０】
上述した様々な実施形態において、表示装置は、一月の中の日付を表示する装置である。代替として、本発明に係る表示装置は、例えば補助クロノグラフ機構により計時される期間の分を計測するなど、時刻情報または時刻派生情報を表示することもできる。
【００６１】
従って、上述と同様、分を表示する装置は、以下を含むことができる。
−第１歯列３１と、分の一の位を表示するための数字３３を有する一の位ディスク３２を含む、第１モバイル３、
−第２歯列４１と、分の十の位を表示するための数字４３を有する十の位ディスク４２を含む、第２モバイル４、及び
−第１及び第２モバイルを駆動可能な、機構９０。
【００６２】
例えば、十の位ディスクは、「０−１−１−２−３」の数列を２組有し、一の位ディスクは「０−１−２−３−４−５−６−７−８−９」の数列を表示する。したがって、歯列３１及び４１は、同一数の歯、すなわち１０本の歯を有することができる。この状況では、表示装置は、３０分以下の計時される期間を表示可能な、クロノグラフ分カウンターを構成する。駆動機構９０は、３０分で１回完全に回転するモバイル１を含んでもよい。モバイル１は、例えば３０本の歯からなり、第１歯列３１と障害物により、特に噛合により協働するよう配置された第３歯列１ａと、例えば５本の歯からなり、第２歯列４１と障害物により、特に噛合により協働するよう配置された、第４歯列１ｂ、を含んでもよい。駆動機構９０はまた、１分で１回完全に回転する回し車２を含んでもよい。ここでは例えば分駆動爪の形状を取る、１本の歯に減少した第５歯列２ｃを含んでもよい。
【００６３】
本発明に係る表示装置は、例えば月の表示といったカレンダー情報や、６０分間の分の表示や、１２時間または２４時間の時刻の表示など、他の時刻または時刻派生情報の表示を行ってもよいことは言うまでもない。
【符号の説明】
【００６４】
１      制御モバイル
１ａ    第３歯列
１ｂ    第４歯列
２      回し車
２ｃ    第５歯列
３      第１モバイル
３１    第１歯列
３２    第１ディスク
４      第２モバイル
４１    第２歯列
４２    第２ディスク
５      ジャンパ
６      ジャンパ
９０    機構
１００  表示装置
１１０  時計ムーブメント
２００  表示装置
２１０  時計ムーブメント
【図１】
0006695108.tif 000002
【図２】
0006695108.tif 000003
【図３】
0006695108.tif 000004
【図４】
0006695108.tif 000005
【図５】
0006695108.tif 000006
【図６】
0006695108.tif 000007
【図７】
0006695108.tif 000008
【図８】
0006695108.tif 000009
【図９】
0006695108.tif 000010
【図１０】
0006695108.tif 000011
【図１１】
0006695108.tif 000012
【図１２】
0006695108.tif 000013
【図１３】
0006695108.tif 000014
【図１４】
0006695108.tif 000015
【図１５】
0006695108.tif 000016